(57)【要約】【課題】  ＩＰ電話機の情報を登録することなく、通話可能な位置を制限することが可能なＩＰ電話システムを提供する。【解決手段】  ＩＰ電話サーバ装置１１では、ＩＰ電話機１３が自装置の配下端末であることを確認後、通話先であるＩＰ電話機２３を検索するが、自装置の配下端末ではないため、ＩＰ電話ネットワーク３００を経由して隣接する地域２のＩＰ電話サーバ装置２１へＩＰ電話機２３の問い合わせを実施する。ＩＰ電話サーバ装置２１では自装置の配下にＩＰ電話機２３があることをＩＰ電話ネットワーク３００とＩＰ電話サーバ装置１１とを経由してＩＰ電話機１３に伝えるので、ＩＰ電話機１３とＩＰ電話機２３との間での通話が可能となる。【選択図】      図１
2006086669.tif 000002
【特許請求の範囲】
【請求項１】
ＩＰ（Ｉｎｔｅｒｎｅｔ  Ｐｒｏｔｏｃｏｌ）電話サーバ装置に収容されるＩＰ電話機のうち予め登録されたＩＰ電話機のみを通信可能とする第１の機能をネットワーク機器に含むＩＰ電話システムであって、
前記登録されたＩＰ電話機の情報を前記ネットワーク機器へ通知して設定する第２の機能を前記ＩＰ電話サーバ装置に有し、
前記第１の機能は前記第２の機能によって設定された前記ＩＰ電話機の情報に基づいて前記ＩＰ電話機の通話位置を制限することを特徴とするＩＰ電話システム。
【請求項２】
前記ＩＰ電話サーバ装置は、自装置が管理するＩＰ電話機の電話番号、ＩＰアドレス、ＭＡＣ（Ｍｅｄｉａ  Ａｃｃｅｓｓ  Ｃｏｎｔｒｏｌ）アドレスの情報が登録されると、この登録されたＩＰ電話機のＩＰアドレス、ＭＡＣアドレスを地域内のネットワーク機器に対して通知して設定することを特徴とする請求項１記載のＩＰ電話システム。
【請求項３】
前記ＩＰ電話機は、自機の電話番号、ＩＰアドレス、ＭＡＣアドレス、収容されているＩＰ電話サーバ装置の情報が設定されていることを特徴とする請求項１または請求項２記載のＩＰ電話システム。
【請求項４】
各地域の前記ＩＰ電話サーバ装置を相互接続するＩＰ電話ネットワークを含み、
前記ネットワーク機器は、前記ＩＰ電話サーバ装置を前記ＩＰ電話ネットワークに接続するルータ装置であることを特徴とする請求項１から請求項３のいずれか記載のＩＰ電話システム。
【請求項５】
各地域の前記ＩＰ電話サーバ装置を相互接続するＩＰ電話ネットワークを含み、
前記ネットワーク機器は、前記ＩＰ電話サーバ装置を前記ＩＰ電話ネットワークに接続するレイヤ２／レイヤ３スイッチ回路であることを特徴とする請求項１から請求項３のいずれか記載のＩＰ電話システム。
【請求項６】
予め登録されたＩＰ（Ｉｎｔｅｒｎｅｔ  Ｐｒｏｔｏｃｏｌ）電話機のみを通信可能とする第１の機能をネットワーク機器に含むＩＰ電話システムにおいて前記ＩＰ電話機を収容するＩＰ電話サーバ装置であって、
前記登録されたＩＰ電話機の情報を前記ネットワーク機器へ通知して設定する第２の機能を有し、
前記第１の機能において前記第２の機能によって設定された前記ＩＰ電話機の情報に基づいて前記ＩＰ電話機の通話位置を制限させることを特徴とするＩＰ電話サーバ装置。
【請求項７】
自装置が管理するＩＰ電話機の電話番号、ＩＰアドレス、ＭＡＣ（Ｍｅｄｉａ  Ａｃｃｅｓｓ  Ｃｏｎｔｒｏｌ）アドレスの情報が登録されると、この登録されたＩＰ電話機のＩＰアドレス、ＭＡＣアドレスを地域内のネットワーク機器に対して通知して設定することを特徴とする請求項６記載のＩＰ電話サーバ装置。
【請求項８】
前記ＩＰ電話機は、自機の電話番号、ＩＰアドレス、ＭＡＣアドレス、収容されているＩＰ電話サーバ装置の情報が設定されていることを特徴とする請求項６または請求項７記載のＩＰ電話サーバ装置。
【請求項９】
各地域の前記ＩＰ電話サーバ装置を相互接続するＩＰ電話ネットワークを前記ＩＰ電話システムに含み、
前記ネットワーク機器は、前記ＩＰ電話サーバ装置を前記ＩＰ電話ネットワークに接続するルータ装置であることを特徴とする請求項６から請求項８のいずれか記載のＩＰ電話サーバ装置。
【請求項１０】
各地域の前記ＩＰ電話サーバ装置を相互接続するＩＰ電話ネットワークを前記ＩＰ電話システムに含み、
前記ネットワーク機器は、前記ＩＰ電話サーバ装置を前記ＩＰ電話ネットワークに接続するレイヤ２／レイヤ３スイッチ回路であることを特徴とする請求項６から請求項８のいずれか記載のＩＰ電話サーバ装置。
【請求項１１】
ＩＰ（Ｉｎｔｅｒｎｅｔ  Ｐｒｏｔｏｃｏｌ）電話サーバ装置に収容されるＩＰ電話機のうち予め登録されたＩＰ電話機のみを通信可能とする機能を含むネットワーク機器であって、
前記ＩＰ電話サーバ装置から通知されかつ前記登録されたＩＰ電話機の情報を自装置に設定し、その設定した前記ＩＰ電話機の情報に基づいて前記ＩＰ電話機の通話位置を制限することを特徴とするネットワーク機器。
【請求項１２】
地域内の前記ＩＰ電話サーバ装置に、当該ＩＰ電話サーバ装置が管理するＩＰ電話機の電話番号、ＩＰアドレス、ＭＡＣ（Ｍｅｄｉａ  Ａｃｃｅｓｓ  Ｃｏｎｔｒｏｌ）アドレスの情報が登録された時に前記ＩＰ電話サーバ装置から通知されかつその登録されたＩＰ電話機のＩＰアドレス、ＭＡＣアドレスを自機器に設定することを特徴とする請求項１１記載のネットワーク機器。
【請求項１３】
前記ＩＰ電話機は、自機の電話番号、ＩＰアドレス、ＭＡＣアドレス、収容されているＩＰ電話サーバ装置の情報が設定されていることを特徴とする請求項１１または請求項１２記載のネットワーク機器。
【請求項１４】
各地域の前記ＩＰ電話サーバ装置を相互接続するＩＰ電話ネットワークを前記ＩＰ電話サーバ装置に接続するルータ装置であることを特徴とする請求項１１から請求項１３のいずれか記載のネットワーク機器。
【請求項１５】
各地域の前記ＩＰ電話サーバ装置を相互接続するＩＰ電話ネットワークを前記ＩＰ電話サーバ装置に接続するレイヤ２／レイヤ３スイッチ回路であることを特徴とする請求項１１から請求項１３のいずれか記載のネットワーク機器。
【請求項１６】
ＩＰ（Ｉｎｔｅｒｎｅｔ  Ｐｒｏｔｏｃｏｌ）電話サーバ装置に収容されるＩＰ電話機のうち予め登録されたＩＰ電話機のみを通信可能とする機能をネットワーク機器に含むＩＰ電話システムの通話位置制限方法であって、前記ＩＰ電話サーバ装置側に、前記登録されたＩＰ電話機の情報を前記ネットワーク機器へ通知して設定するステップを有し、その設定した前記ＩＰ電話機の情報に基づいて前記ＩＰ電話機の通話位置を制限することを特徴とする通話位置制限方法。
【請求項１７】
前記ＩＰ電話サーバ装置が、自装置が管理するＩＰ電話機の電話番号、ＩＰアドレス、ＭＡＣ（Ｍｅｄｉａ  Ａｃｃｅｓｓ  Ｃｏｎｔｒｏｌ）アドレスの情報が登録されると、この登録されたＩＰ電話機のＩＰアドレス、ＭＡＣアドレスを地域内のネットワーク機器に対して通知して設定することを特徴とする請求項１６記載の通話位置制限方法。
【請求項１８】
前記ＩＰ電話機が、自機の電話番号、ＩＰアドレス、ＭＡＣアドレス、収容されているＩＰ電話サーバ装置の情報が設定されていることを特徴とする請求項１６または請求項１７記載の通話位置制限方法。
【請求項１９】
各地域の前記ＩＰ電話サーバ装置を相互接続するＩＰ電話ネットワークを前記ＩＰ電話システムに含み、
前記ネットワーク機器が、前記ＩＰ電話サーバ装置を前記ＩＰ電話ネットワークに接続するルータ装置であることを特徴とする請求項１６から請求項１８のいずれか記載の通話位置制限方法。
【請求項２０】
各地域の前記ＩＰ電話サーバ装置を相互接続するＩＰ電話ネットワークを前記ＩＰ電話システムに含み、
前記ネットワーク機器が、前記ＩＰ電話サーバ装置を前記ＩＰ電話ネットワークに接続するレイヤ２／レイヤ３スイッチ回路であることを特徴とする請求項１６から請求項１８のいずれか記載の通話位置制限方法。
【発明の詳細な説明】
【技術分野】
【０００１】
本発明はＩＰ電話システム、ＩＰ電話サーバ装置、ルータ装置及び通話位置制限方法に関し、特にＩＰ（Ｉｎｔｅｒｎｅｔ  Ｐｒｏｔｏｃｏｌ）電話システムを構成するＩＰ電話機を移動させた時の通話制限に関する。
【背景技術】
【０００２】
従来、ＩＰ電話システムにおいては、図７に示すように、地域３，４毎に、ＩＰ電話サーバ装置３１，４１と、ルータ装置３２，４２と、ＩＰ電話機３３，３４，４３，４４と、ゲートウェイ装置３５，４５とをＬＡＮ（Ｌｏｃａｌ  Ａｒｅａ  Ｎｅｔｗｏｒｋ）３１０，４１０に接続して構成されており、ルータ装置３２，４２を介してＩＰ電話ネットワーク３００に接続し、ゲートウェイ装置３５，４５を介して公衆交換電話ネットワーク４００と接続している。
【０００３】
ルータ装置３２，４２はＷＡＮ（Ｗｉｄｅ  Ａｒｅａ  Ｎｅｔｗｏｒｋ）３０１，３０２を介してＩＰ電話ネットワーク３００に接続され、ゲートウェイ装置３５，４５は公衆交換電話ネットワークＩ／Ｆ（インタフェース）４０１，４０２を介して公衆交換電話ネットワーク４００に接続されている。
【０００４】
この図７を参照して、従来のＩＰ電話システムについて説明する。但し、図７のルータ装置３２，４２においては、登録されたＩＰ電話機のみを通信可能とする機能を有していないものとする。
【０００５】
仮に、地域３を東京「０３」、地域４を大阪「０６」から始まる電話番号とした場合、ＩＰ電話機３３には東京「０３」から始まる電話番号が設定されていることになる。もし、ＩＰ電話機３３を地域４の大阪「０６」の区域へ移動させ、地域４内のＩＰ電話機４３に電話をかけた場合、ＩＰ電話機３３では設定されているＩＰ電話サーバ装置３１へＩＰ電話機４３の問い合わせを行う動作を実施する。
【０００６】
ＩＰ電話サーバ装置３１ではＩＰ電話機３３が自装置の配下端末として登録されているため、ＩＰ電話機３３からの問い合わせを受け、隣接の地域４のＩＰ電話サーバ装置４１へ問い合わせを実施することで、ＩＰ電話機４３の情報を入手することができるので、ＩＰ電話機３３とＩＰ電話機４３との通話が可能となる。しかしながら、ＩＰ電話機３３は東京「０３」の番号体系での発信となり、実際の発信位置である大阪「０６」の番号体系とは異なる。
【０００７】
これに対し、図７のルータ装置３２，４２において、登録されたＩＰ電話機のみを通信可能とする機能を有しているが、ＩＰ電話サーバ装置３１，４１において、ルータ装置３２，４２へＩＰ電話機の情報を通知・設定する機能を有していない場合、まず最初に、ＩＰ電話サーバ装置３１，４１へ自装置が管理するＩＰ電話機３３，３４，４３，４４の電話番号、ＩＰアドレス、ＭＡＣ（Ｍｅｄｉａ  Ａｃｃｅｓｓ  Ｃｏｎｔｒｏｌ）アドレスをそれぞれ登録する。
【０００８】
また、この場合には、登録されたＩＰ電話機のみを通信可能とする機能を有するルータ装置３２，４２へ、ＩＰ電話機３３，３４，４３，４４のＩＰアドレス、ＭＡＣアドレスを登録する必要がある。
【０００９】
従来の通話位置制限方法としては、上記のような技術のほかに、自己位置と予め登録された使用制限エリアとが一致する時に発信制限を行う方法（例えば、特許文献１参照）、あるいは移動加入者の現存地域が登録済みの利用可能地域外の時に呼設定を拒否し、移動加入者の現存地域が登録済みの利用可能地域内の時に呼設定を行う方法（例えば、特許文献２，３参照）等がある。
【００１０】
【特許文献１】特開２００１−３２０４７３号公報
【特許文献２】特開平０６−１８９３６０号公報
【特許文献３】特許第３１７０９１５号公報
【発明の開示】
【発明が解決しようとする課題】
【００１１】
上述した従来のＩＰ電話システムでは、ＩＰ電話機の電話番号体系と、そのＩＰ電話機が発信する実際の発信地域における電話番号体系とが異なることが可能であり、通話可能な位置を制限することができないという問題がある。
【００１２】
また、従来のＩＰ電話システムでは、ＩＰ電話サーバ装置やルータ装置それぞれに対して、ＩＰ電話機のＩＰアドレスとＭＡＣアドレスとを登録する必要があるという問題がある。上記の特許文献１〜３では、これらの問題を解決することが困難である。
【００１３】
そこで、本発明の目的は上記の問題点を解消し、ＩＰ電話機の情報（ＩＰアドレス及びＭＡＣアドレス）を登録することなく、通話可能な位置を制限することができるＩＰ電話システム、ＩＰ電話サーバ装置、ネットワーク機器及び通話位置制限方法を提供することにある。
【課題を解決するための手段】
【００１４】
本発明によるＩＰ電話システムは、ＩＰ（Ｉｎｔｅｒｎｅｔ  Ｐｒｏｔｏｃｏｌ）電話サーバ装置に収容されるＩＰ電話機のうち予め登録されたＩＰ電話機のみを通信可能とする第１の機能をネットワーク機器に含むＩＰ電話システムであって、
前記登録されたＩＰ電話機の情報を前記ネットワーク機器へ通知して設定する第２の機能を前記ＩＰ電話サーバ装置に備え、
前記第１の機能は前記第２の機能によって設定された前記ＩＰ電話機の情報に基づいて前記ＩＰ電話機の通話位置を制限している。
【００１５】
本発明によるＩＰ電話サーバ装置は、予め登録されたＩＰ（Ｉｎｔｅｒｎｅｔ  Ｐｒｏｔｏｃｏｌ）電話機のみを通信可能とする第１の機能をネットワーク機器に含むＩＰ電話システムにおいて前記ＩＰ電話機を収容するＩＰ電話サーバ装置であって、
前記登録されたＩＰ電話機の情報を前記ネットワーク機器へ通知して設定する第２の機能を備え、
前記第１の機能において前記第２の機能によって設定された前記ＩＰ電話機の情報に基づいて前記ＩＰ電話機の通話位置を制限させている。
【００１６】
本発明によるネットワーク機器は、ＩＰ（Ｉｎｔｅｒｎｅｔ  Ｐｒｏｔｏｃｏｌ）電話サーバ装置に収容されるＩＰ電話機のうち予め登録されたＩＰ電話機のみを通信可能とする機能を含むネットワーク機器であって、
前記ＩＰ電話サーバ装置から通知されかつ前記登録されたＩＰ電話機の情報を自装置に設定し、その設定した前記ＩＰ電話機の情報に基づいて前記ＩＰ電話機の通話位置を制限している。
【００１７】
本発明による通話位置制限方法は、ＩＰ（Ｉｎｔｅｒｎｅｔ  Ｐｒｏｔｏｃｏｌ）電話サーバ装置に収容されるＩＰ電話機のうち予め登録されたＩＰ電話機のみを通信可能とする機能をネットワーク機器に含むＩＰ電話システムの通話位置制限方法であって、前記ＩＰ電話サーバ装置側に、前記登録されたＩＰ電話機の情報を前記ネットワーク機器へ通知して設定するステップを備え、その設定した前記ＩＰ電話機の情報に基づいて前記ＩＰ電話機の通話位置を制限している。
【００１８】
すなわち、本発明のＩＰ電話システムは、ＩＰ（Ｉｎｔｅｒｎｅｔ  Ｐｒｏｔｏｃｏｌ）電話サーバ装置において、登録されたＩＰ電話機の情報をルータ装置へ通知・設定する機能を有することで、登録されたＩＰ電話機のみを通信可能とするルータ装置の機能を使用し、通話位置を制限したシステムを構築する場合、再度ルータ装置へＩＰ電話機の情報を設定する必要をなくすことが可能となる。
【００１９】
より具体的に説明すると、本発明のＩＰ電話システムでは、ルータ装置に、登録されたＩＰ電話機のみを通信可能とする機能を備えている。本発明のＩＰ電話システムでは、初期設定時、ＩＰ電話サーバ装置へ自身が管理するＩＰ電話機の電話番号、ＩＰアドレス、ＭＡＣ（Ｍｅｄｉａ  Ａｃｃｅｓｓ  Ｃｏｎｔｒｏｌ）アドレスの情報が登録されると、ＩＰ電話サーバ装置から地域内のルータ装置に対して、登録されたＩＰ電話機のＩＰアドレス、ＭＡＣアドレスを通知・設定する。
【００２０】
これによって、本発明のＩＰ電話システムでは、ＩＰ電話サーバ装置において、登録されたＩＰ電話機の情報をルータ装置へ通知・設定する機能を有しているため、登録されたＩＰ電話機のみを通信可能とするルータ装置の機能を使用し、通話位置を制限したＩＰ電話システムを構築する場合、再度ルータ装置へＩＰ電話機の情報を設定する必要がなくなる。よって、本発明のＩＰ電話システムでは、ＩＰ電話機の情報（ＩＰアドレス及びＭＡＣアドレス）を登録することなく、通話可能な位置を制限することが可能となる。
【発明の効果】
【００２１】
本発明は、以下に述べるような構成及び動作とすることで、ＩＰ電話機の情報（ＩＰアドレス及びＭＡＣアドレス）を登録することなく、通話可能な位置を制限することができるという効果が得られる。
【発明を実施するための最良の形態】
【００２２】
次に、本発明の実施例について図面を参照して説明する。図１は本発明の一実施例によるＩＰ電話システムの構成を示すブロック図である。図１において、本発明の一実施例によるＩＰ電話システムは、地域１，２毎に、ＩＰ電話サーバ装置１１，２１と、ルータ装置１２，２２と、ＩＰ電話機１３，１４，２３，２４と、ゲートウェイ装置１５，２５とをＬＡＮ（Ｌｏｃａｌ  Ａｒｅａ  Ｎｅｔｗｏｒｋ）１００，２００に接続して構成されており、ルータ装置１２，２２を介してＩＰ電話ネットワーク３００に接続し、ゲートウェイ装置１５，２５を介して公衆交換電話ネットワーク４００と接続している。
【００２３】
ルータ装置１２，２２はＷＡＮ（Ｗｉｄｅ  Ａｒｅａ  Ｎｅｔｗｏｒｋ）３０１，３０２を介してＩＰ電話ネットワーク３００に接続され、ゲートウェイ装置１５，２５は公衆交換電話ネットワークＩ／Ｆ（インタフェース）４０１，４０２を介して公衆交換電話ネットワーク４００に接続されている。
【００２４】
図１において、１，２はそれぞれ地域の区域内であることを示し、１００，２００は各地域１，２内のＬＡＮを示している。３００は各地域１，２を相互接続するＩＰ電話ネットワークを示す。３０１，３０２は各地域１，２とＩＰ電話ネットワーク３００とを接続するＷＡＮ（Ｗｉｄｅ  Ａｒｅａ  Ｎｅｔｗｏｒｋ）を示している。
【００２５】
１２，２２は地域１，２内に配備されたルータ装置を示し、１３，１４，２３、２４は各地域１，２に配備されたＩＰ電話機１３，１４，２３、２４を示している。ＩＰ電話機１３，１４，２３、２４には自機の電話番号、ＩＰアドレス、ＭＡＣアドレス、収容されているＩＰ電話サーバ装置１１，２１の情報が設定されている。
【００２６】
１１，２１は各地域１，２に配備されたＩＰ電話サーバ装置を示している。ＩＰ電話サーバ装置１１，２１では管理するＩＰ電話機１３，１４，２３、２４の電話番号、ＩＰアドレス、ＭＡＣアドレスが登録されており、ルータ装置１２，２２へＩＰ電話機１３，１４，２３、２４のＩＰアドレス、ＭＡＣアドレスを登録する機能を有する。１０１，２０１はＩＰ電話サーバ装置１１，２１に登録されたＩＰ電話機１３，１４，２３、２４のＩＰアドレス、ＭＡＣアドレスをルータ装置１２，２２へ伝える信号を示している。
【００２７】
ルータ装置１２，２２では信号１０１，２０１から自装置の地域１，２内に配備されたＩＰ電話機１３，１４，２３、２４のＩＰアドレスとＭＡＣアドレスとを入手し、登録されたＩＰ電話機１３，１４，２３、２４のみを通信可能にする機能を有している。具体的に説明すると、ルータ装置１２ではＩＰ電話機１３，１４のＩＰアドレスとＭＡＣアドレスとが、ルータ装置２２ではＩＰ電話機２３，２ｂのＩＰアドレスとＭＡＣアドレスとが登録されており、それぞれ登録されたＩＰ電話機１３，１４，２３，２４のみの通信を可能とする機能を備えている。
【００２８】
また、ルータ装置１２，２２では地域内ＬＡＮ１００，２００と、ＷＡＮ３０１，３０２とを提供する機能を有しており、これらの機能を提供することができるのであれば、ルータ装置である必要はなく、Ｌ２／Ｌ３（レイヤ２／レイヤ３）スイッチでも構わない。４００は公衆交換電話ネットワーク、４０１，４０２は公衆交換電話ネットワーク４００のインタフェース［アナログ・ＢＲＩ（Ｂａｓｉｃ  Ｒａｔｅ  Ｉｎｔｅｒｆａｃｅ）インタフェース等］を示している。１５，２５は公衆交換電話ネットワーク４００とＩＰ電話サーバ装置１１，２１とを接続するゲートウェイ装置を示している。
【００２９】
図２は図１のＩＰ電話サーバ装置１１の構成を示すブロック図である。図２において、ＩＰ電話サーバ装置１１はＩＰ電話機管理部１１１と、ＩＰ電話機情報登録部１１２とを備えている。尚、図示していないが、ＩＰ電話サーバ装置２１も上記のＩＰ電話サーバ装置１１と同様の構成となっている。
【００３０】
ＩＰ電話機管理部１１１は地域１に配備されたＩＰ電話機１３，１４を管理し、ＩＰ電話機情報登録部１１２はＩＰ電話機管理部１１１が管理するＩＰ電話機１３，１４の電話番号、ＩＰアドレス、ＭＡＣアドレスが登録されており、ルータ１２へＩＰ電話機１３，１４のＩＰアドレス、ＭＡＣアドレスを通知・設定する。
【００３１】
図３は図１のルータ装置１２の構成を示すブロック図である。図３において、ルータ装置１２はスイッチ部１２１と、地域内ＬＡＮ／ＷＡＮ提供部１２２と、ＩＰ電話機登録部１２３とを備えている。尚、図示していないが、ルータ装置２２も上記のルータ装置１２と同様の構成となっている。
【００３２】
スイッチ部１２１はＩＰ電話機登録部１２３に登録されたＩＰ電話機１３，１４のみを通信可能にし、地域内ＬＡＮ／ＷＡＮ提供部１２２は地域内ＬＡＮ１００とＷＡＮ３０１とを提供する。ＩＰ電話機登録部１２３はＩＰ電話サーバ装置１１のＩＰ電話機情報登録部１１２から通知・設定されるＩＰ電話機１３，１４のＩＰアドレス、ＭＡＣアドレスを登録して保持する。
【００３３】
図４は図１のＩＰ電話機１３の構成を示すブロック図である。図４において、ＩＰ電話機１３は通信制御部１３１と、設定情報保持部１３２とを備えている。尚、図示していないが、ＩＰ電話機１４，２３，２４は上記のＩＰ電話機１３と同様の構成となっている。
【００３４】
通信制御部１３１は通話先または通話元との通信（発呼または着呼）を制御し、設定情報保持部１３２は予め設定された自機の電話番号、ＩＰアドレス、ＭＡＣアドレス、収容されているＩＰ電話サーバ装置１１の情報を保持している。
【００３５】
図５及び図６は本発明の一実施例によるＩＰ電話システムの動作を示すシーケンスチャートである。これら図１〜図６を参照して本発明の一実施例によるＩＰ電話システムの動作について説明する。
【００３６】
まず、ＩＰ電話サーバ装置１１，２１はＩＰ電話機管理部１１１が管理するＩＰ電話機１３，１４，２３，２４の情報を登録する（図５のａ１，ａ２）。この場合、ＩＰ電話サーバ装置１１，２１にはＩＰ電話機１３，１４，２３，２４の電話番号、ＩＰアドレス、ＭＡＣアドレスが登録される。
【００３７】
ここで、ＩＰ電話サーバ装置１１，２１は登録されたＩＰ電話機１３，１４，２３，２４の情報をルータ装置１２，２２へ通知・設定するＩＰ電話機情報登録部１１２を有しており、登録されたＩＰ電話機１３，１４，２３，２４のＩＰアドレスとＭＡＣアドレスとを信号１１１，１２１を介して地域１，２内のルータ装置１２，２２へ通知・設定する（図５のａ３〜ａ６）。
【００３８】
以下、説明を簡単にするために、地域１内のＩＰ電話機１３から、地域２内のＩＰ電話機２３へ電話をする場合について述べる。ＩＰ電話機１３はＩＰ電話機２３の情報を得るために、自機が収容されるＩＰ電話サーバ装置１１へ問い合わせに行く必要があるが、ＩＰ電話機１３とＩＰ電話サーバ装置１１との通信ではルータ装置１２が介在しており、まず、ルータ装置１２にてＩＰ電話機１３のアドレス情報の正常性をチェックする（図６のｂ１，ｂ２）。ルータ装置１２にて、登録されたＩＰアドレス・ＭＡＣアドレスと判断されると、ＩＰ電話機１３からＩＰ電話サーバ装置１１への問い合わせが可能となる（図６のｂ３）。
【００３９】
ＩＰ電話サーバ装置１１では、ＩＰ電話機１３が自装置の配下端末であることを確認後（図６のｂ４）、通話先であるＩＰ電話機２３を検索するが（図６のｂ５）、自装置の配下端末ではないため、ＩＰ電話ネットワーク３００を経由して隣接する地域２のＩＰ電話サーバ装置２１へＩＰ電話機２３の問い合わせを実施する（図６のｂ６）。ＩＰ電話サーバ装置２１では自装置の配下にＩＰ電話機２３があることをＩＰ電話ネットワーク３００とＩＰ電話サーバ装置１１とを経由してＩＰ電話機１３に伝えるので、ＩＰ電話機１３とＩＰ電話機２３との間での通話が可能となる（図６のｂ７〜ｂ１０）。
【００４０】
このように、本実施例では、ＩＰ電話サーバ装置１１，２１において、登録されたＩＰ電話機１３，１４，２３，２４の情報をルータ装置１２，２２へ通知・設定するＩＰ電話機情報登録部１１２を有しているため、登録されたＩＰ電話機１３，１４，２３，２４のみを通信可能とするルータ装置１２，２２の機能（スイッチ部１２１）を使用し、通話位置を制限したＩＰ電話システムを構築する場合、再度ルータ装置１２，２２へＩＰ電話機１３，１４，２３，２４の情報を設定する必要がない。よって、本実施例では、ＩＰ電話機１３，１４，２３，２４の情報（ＩＰアドレス及びＭＡＣアドレス）を登録することなく、通話可能な位置を制限することができる。
【図面の簡単な説明】
【００４１】
【図１】本発明の一実施例によるＩＰ電話システムの構成を示すブロック図である。
【図２】図１のＩＰ電話サーバ装置の構成を示すブロック図である。
【図３】図１のルータ装置の構成を示すブロック図である。
【図４】図１のＩＰ電話機の構成を示すブロック図である。
【図５】本発明の一実施例によるＩＰ電話システムの動作を示すシーケンスチャートである。
【図６】本発明の一実施例によるＩＰ電話システムの動作を示すシーケンスチャートである。
【図７】従来例によるＩＰ電話システムの構成を示すブロック図である。
【符号の説明】
【００４２】
１，２  地域
１１，２１  ＩＰ電話サーバ装置
１２，２２  ルータ装置
１３，１４，２３，２４  ＩＰ電話機
１５，２５  ゲートウェイ装置
１００，２００  ＬＡＮ
１０１，２０１  信号
１１１  ＩＰ電話機管理部
１１２  ＩＰ電話機情報登録部
１２１  スイッチ部
１２２  地域内ＬＡＮ／ＷＡＮ提供部
１２３  ＩＰ電話機登録部
１３１  通信制御部
１３２  設定情報保持部
３００  ＩＰ電話ネットワーク
３０１，３０２  ＷＡＮ
４００  公衆交換電話ネットワーク
４０１，４０２  公衆交換電話ネットワークＩ／Ｆ
【図１】
2006086669.tif 000003
【図２】
2006086669.tif 000004
【図３】
2006086669.tif 000005
【図４】
2006086669.tif 000006
【図５】
2006086669.tif 000007
【図６】
2006086669.tif 000008
【図７】
2006086669.tif 000009